(57)【要約】【課題】船舶の航行や漁業に影響を与えることなく、周辺水域の水質改善（プランクトンの異常発生による赤潮の抑制など）を期待することができ、また、貝や藻を簡単に水中に設置し、簡単に水中から回収することができ、さらに、貝や藻が水中に脱落するのを防ぐことができる水質改善機能付浮桟橋を提供することを課題とする。【解決手段】水上に浮かべた浮体構造物１０によって構成される浮桟橋１であって、浮体構造物１０の内部には、上面１１及び下面に開口した籠収容部１６が形成され、貝や藻が収容される網籠が籠収容部１６内に着脱自在に取り付けられることで、網籠２０が浸水状態となるように構成されている。【選択図】図１
2010022231.tif 000002
【特許請求の範囲】
【請求項１】
水上に浮かべた浮体構造物によって構成される浮桟橋であって、
前記浮体構造物の内部には、上面及び下面に開口した籠収容部が形成され、
貝や藻が収容される網籠が前記籠収容部内に着脱自在に取り付けられることで、前記網籠が浸水状態となるように構成されていることを特徴とする水質改善機能付浮桟橋。
【請求項２】
前記浮体構造物には、外側面の喫水部分から前記籠収容部内に連通する喫水開口部が形成されていることを特徴とする請求項１に記載の水質改善機能付浮桟橋。
【請求項３】
前記籠収容部の内側面に突出した支持部材に、前記網籠に設けられた係合部材を上方から係合させることで、前記網籠が前記籠収容部内に着脱自在に取り付けられていることを特徴とする請求項１又は請求項２に記載の水質改善機能付浮桟橋。
【請求項４】
前記網籠が上下方向に伸縮自在となっていることを特徴とする請求項１から請求項３のいずれか一項に記載の水質改善機能付浮桟橋。
【発明の詳細な説明】
【技術分野】
【０００１】
本発明は、水上に浮かべた浮体構造物によって構成された浮桟橋であって、周辺水域の水質が低下するのを防ぐことができる水質改善機能付浮桟橋に関する。
【背景技術】
【０００２】
港湾や湖沼などの閉鎖性水域では、この水域に流入した生活排水や工場排水に含まれる窒素やリンによって、水が富栄養化され易くなっている。富栄養化された水域では、植物プランクトンや微細藻類が増殖して、水面表層に赤潮やアオコが発生し、水中の溶存酸素濃度が低下するため、水質が著しく低下することがある。
【０００３】
そこで、水質の低下を防ぐための構造体としては、図８に示すように、柔軟な管状体１０１の下端部に錘１０２を取り付けるとともに、管状体１０１の上端部に浮き部材１０３を取り付けた水質改善用構造体１００がある。この水質改善用構造体１００は、錘１０２が水底に定置し、浮き部材１０３が水面に浮いた状態で水中に設置される。そして、管状体１０１の表面に付着させた藻に集まった魚が植物プランクトンや微細藻類を食べることで、水中の溶存酸素濃度が低下するのを防ぐことができる（例えば、特許文献１参照）。
【０００４】
【特許文献１】特開２００７−３３０１９８号公報（段落００３５、図１）
【発明の開示】
【発明が解決しようとする課題】
【０００５】
しかしながら、閉鎖性水域のように狭い水域に従来の水質改善用構造体１００を設置した場合には、船舶の航行や漁業の障害になる。
また、従来の水質改善用構造体１００を水中に設置したり、水中から回収したりする場合には、船舶を利用して水上から作業を行う必要があり、水質改善用構造体１００の設置作業や回収作業が煩雑になる。
また、従来の水質改善用構造体１００の管状体１０１の表面に、二枚貝などの貝を付着させた場合には、管状体１０１から水中に脱落した貝が周辺水域に生息する他の生物に影響を与えるとともに、脱落した貝の死骸によって水質が低下することもある。
【０００６】
そこで、本発明では、前記した問題を解決し、船舶の航行や漁業に影響を与えることなく、周辺水域の水質が低下するのを防ぐことができ、また、貝や藻を簡単に水中に設置し、簡単に水中から回収することができ、さらに、貝や藻が水中に脱落するのを防ぐことができる水質改善機能付浮桟橋を提供することを課題とする。
【課題を解決するための手段】
【０００７】
前記課題を解決するため、本発明は、水上に浮かべた浮体構造物によって構成される浮桟橋であって、前記浮体構造物の内部には、上面及び下面に開口した籠収容部が形成され、貝や藻が収容される網籠が前記籠収容部内に着脱自在に取り付けられることで、前記網籠が浸水状態となるように構成されていることを特徴としている。
【０００８】
この構成では、網籠内に収容された二枚貝などの貝や、網籠内に収容された藻に集まった魚が水中の植物プランクトンや微細藻類を食べることで、水中の溶存酸素濃度が低下するのを防ぐことができ、周辺水域の水質改善（プランクトンの異常発生による赤潮の抑制など）も期待することができる。
また、船舶が接舷するために港湾や湖沼に設置される浮桟橋の内部に、貝や藻が収容される網籠を取り付けることで、浮桟橋の周辺水域に構造物を設置する必要がないため、船舶の航行や漁業に影響を与えることなく、周辺水域の水質が低下するのを防ぐことができる。特に、港湾や湖沼などの閉鎖性水域に、本発明の浮桟橋を設置した場合には、閉鎖性水域のスペースを有効に利用して水質が低下するのを防ぐことができる。
また、籠収容部は浮体構造物の上面に開口しており、浮体構造物の上面から網籠を籠収容部内に着脱することができるため、貝や藻を簡単に水中に設置するとともに、簡単に水中から回収することができる。
また、貝や藻は網籠内に収容されているため、貝や藻が水中に脱落するのを防ぐことができる。また、網籠内の貝や藻を回収して、飼料や肥料として再利用することができる。
【０００９】
前記した水質改善機能付浮桟橋において、前記浮体構造物には、外側面の喫水部分から前記籠収容部内に連通する喫水開口部が形成されているように構成することができる。
【００１０】
この構成では、籠収容部が上下方向の他に側方にも開口しており、籠収容部内の水が循環され易くなっているため、水質改善の効果を高めることができる。
【００１１】
前記した水質改善機能付浮桟橋において、前記籠収容部の内側面に突出した支持部材に、前記網籠に設けられた係合部材を上方から係合させることで、前記網籠が前記籠収容部内に着脱自在に取り付けられているように構成することができる。
【００１２】
この構成では、網籠を上方から籠収容部内に降ろすことで、網籠を籠収容部内に簡単に取り付けることができる。また、網籠を籠収容部内から上方に引き上げることで、網籠を籠収容部内から簡単に回収することができる。
【００１３】
前記した水質改善機能付浮桟橋において、前記網籠が上下方向に伸縮自在となるように構成してもよい。
【００１４】
この構成では、網籠を搬送車両の荷台に積載して搬送するときに、網籠を上下方向に収縮させて小さくすることができるため、小型の搬送車両に積載可能な個数を増やすことができ、搬送効率を高めることができる。
【発明の効果】
【００１５】
本発明の水質改善機能付浮桟橋では、網籠内に収容された貝や、網籠内に収容された藻に集まった魚などが水中の植物プランクトンを食べることで、水中の溶存酸素濃度が低下するのを防ぐことができ、周辺水域の水質改善（プランクトンの異常発生による赤潮の抑制など）も期待することができる。
また、浮桟橋の内部に網籠を取り付けることで、船舶の航行や漁業に影響を与えることなく、周辺水域の水質が低下するのを防ぐことができる。
また、浮体構造物の上面から網籠を籠収容部内に着脱することで、貝や藻を簡単に水中に設置するとともに、簡単に水中から回収することができる。
また、貝や藻は網籠内に収容されているため、貝や藻が水中に脱落するのを防ぐことができる。また、網籠内の貝や藻を回収して、飼料や肥料として再利用することができる。
【発明を実施するための最良の形態】
【００１６】
次に、本発明の実施形態について、適宜図面を参照しながら詳細に説明する。
本実施形態では、閉鎖性水域である港湾内に本発明の水質改善機能付浮桟橋（以下、単に「浮桟橋」という）を設置した場合を例として説明する。
【００１７】
［浮桟橋の全体構成］
浮桟橋１は、図１に示すように、水上に浮かべた浮体構造物１０によって構成されており、この浮体構造物１０に船舶が接舷するとともに、浮体構造物１０と岸壁２との間に架設された連絡橋３を通じて、人や車両が浮体構造物１０と岸壁２との間を往来することができる。なお、以下の説明において、浮体構造物１０の岸壁２側を後方とし、浮体構造物１０の岸壁２側と反対側を前方としている。
【００１８】
（浮体構造物の構成）
浮体構造物１０は、図２及び図３に示すように、平面視で長方形に形成されたコンクリート製の中空な箱状の部材であり、上面１１、下面１２、前面１３、後面１４、両側面１５，１５が形成され、前後方向を長手方向としている。この浮体構造物１０を水上に浮かべたときには、高さ方向の略半分以上が水中に沈んだ喫水部分Ｗとなる（図１参照）。
【００１９】
浮体構造物１０の前部には、図３に示すように、上面１１及び下面１２に開口することで、浮体構造物１０を上下方向に貫通している籠収容部１６・・・が形成されている。この籠収容部１６は、網籠２０を収容する空間であり、図２に示すように、平面視で略正方形に形成されている。本実施形態では、前後左右に並設された四つの籠収容部１６・・・が、浮体構造物１０の前部において幅方向の中央部に形成されている。
【００２０】
四つの籠収容部１６・・・は、上部がコンクリート又は鉄骨の梁構造である収容枠体１６ａによって仕切られている。また、収容枠体１６ａの上面には、各籠収容部１６・・・の上側開口部を閉塞する蓋部材１６ｂが取り付けられている。本実施形態では、蓋部材１６ｂの上面に車両が停車したり、蓋部材１６ｂの上面で各種作業が行われたりすることを考慮して、めっき処理された鋼板によって蓋部材１６ｂを形成することで、蓋部材１６ｂの強度を高めている。
【００２１】
また、図６（ａ）に示すように、籠収容部１６の内周側面には、内周側面に沿って環状に形成された棒状の支持部材１６ｃが、内周側面から僅かに間隔を離した位置に取り付けられている。
【００２２】
浮体構造物１０では、図４（ａ）に示すように、前面１３の喫水部分Ｗから各籠収容部１６・・・内に連通する喫水開口部１７が形成されている（図３参照）。この喫水開口部１７は、前面視で水平方向に幅広な長方形となっており、喫水開口部１７を前方から見たときには、各籠収容部１６・・・を望むことができる。
【００２３】
また、図３に示すように、浮体構造物１０の両側面１５，１５（図２参照）の喫水部分Ｗよりも上方となる位置には、複数の緩衝部材１５ａ・・・が前後方向に一定の間隔を離して並設されている。この緩衝部材１５ａは、船舶が浮体構造物１０の側面１５に接触したときの衝撃を低減するための弾性部材である。
また、図２に示すように、浮体構造物１０の上面１１の両側縁部には、複数の係船曲柱１１ａが取り付けられている。
さらに、浮体構造物１０の上面１１の後部において、図１に示す連絡橋３の前端部が当接する位置には、連絡橋３の接触による損傷を防ぐために保護用鋼板１１ｂが取り付けられている。
【００２４】
（網籠の構成）
網籠２０は、図４（ｂ）に示すように、浮体構造物１０の籠収容部１６内に取り付けられる直方体の籠であり、図５（ａ）に示すように、内部に二枚貝Ｋが収容されている。この網籠２０は、上部２１と下部２２に分割されており、上部２１の下端開口部と下部２２の上端開口部とが連通している。
網籠２０は、図４（ｂ）に示すように、籠収容部１６内に収まる大きさに形成された鋼製の籠である。本実施形態の網籠２０は、図７に示すように、小型トラックＴの荷台Ｔ１に積載可能であるとともに、小型トラックＴに搭載されたクレーンＴ２によって吊り上げ可能な大きさに形成されている。
【００２５】
網籠２０の上部２１は、図５（ａ）に示すように、直方体の枠組みである籠枠体２１ａの上面及び各側面に、網板２１ｂを取り付けることで形成されている。
網籠２０の下部２２は、柔軟な袋状の網であり、網籠２０の下部２２が折り畳まれることで、網籠２０は上下方向に伸縮自在となっている（図５（ｂ）参照）。
【００２６】
網籠２０では、上部２１の上面から複数のロープ２３・・・が吊り下げられている。網籠２０を水中に設置する前には、ロープ２３の表面にムラサキ貝などの二枚貝Ｋの稚貝が多数取り付けられている。なお、ロープ２３の材質は限定されるものではないが、生体親和性に優れた繊維であり、二枚貝Ｋの成長に伴って消滅するような材質であることが望ましい。
また、網籠２０の網目の大きさは、成長した二枚貝Ｋが網目を通過して水中に脱落しない程度の大きさに設定されている。
【００２７】
網籠２０の上部２１の上面には、上端部が外側に向けて折り曲げられたフック状の係合部材２１ｃの下端部が取り付けられている。係合部材２１ｃは、籠枠体２１ａの上面の各辺に二体ずつ取り付けられている。そして、図６（ｂ）に示すように、籠収容部１６の内側面に突出した支持部材１６ｃに、網籠２０に設けられた係合部材２１ｃを上方から係合させることで、網籠２０を籠収容部１６内に着脱自在に取り付けることができる。
【００２８】
網籠２０を籠収容部１６内に取り付ける場合には、まず、図７に示すように、浮体構造物１０の上面１１に小型トラックＴを配置し、この小型トラックＴに搭載されたクレーンＴ２から吊り下げられたワイヤを、小型トラックＴの荷台Ｔ１に積載された網籠２０の各係合部材２１ｃ・・・に取り付けて、網籠２０をクレーンＴ２によって吊り上げる。
なお、小型トラックＴの荷台Ｔ１に積載された網籠２０は、上部２１の重量によって下部２２が折り畳まれるため、上下方向に収縮した状態となっている。
そして、クレーンＴ２によって吊り上げられた網籠２０を籠収容部１６内に降ろすことで、籠収容部１６の支持部材１６ｃに、網籠２０の各係合部材２１ｃ・・・が上方から係合される（図６（ｂ）参照）。このようにして、籠収容部１６内に着脱自在に取り付けられた網籠２０は、籠収容部１６内で浸水状態となっており、網籠２０内に収容された二枚貝Ｋ（図５（ａ）参照）が水中に配置される。
【００２９】
網籠２０を籠収容部１６内から回収する場合には、小型トラックＴのクレーンＴ２によって、籠収容部１６内から網籠２０を上方に吊り上げ、小型トラックＴの荷台Ｔ１に網籠２０を積載する。このとき、荷台Ｔ１に積載された網籠２０は、下部２２が上下方向に収縮した状態となる。
【００３０】
［水質改善機能付浮桟橋の作用効果］
本実施形態の浮桟橋１では、図４（ｂ）に示すように、浮体構造物１０の内部に取り付けられた網籠２０内に収容された二枚貝Ｋ（図５（ａ）参照）が、水中の植物プランクトンや微細藻類を食べることで、水中の溶存酸素濃度が低下するのを防ぐことができ、周辺水域の水質改善（プランクトンの異常発生による赤潮の抑制など）も期待することができる。
【００３１】
また、図４（ｂ）に示すように、船舶が接舷するために港湾に設置される浮桟橋１（図１参照）の内部に、二枚貝Ｋ（図５（ａ）参照）が収容される網籠２０を取り付けることで、浮桟橋１の周辺水域に構造物を設置する必要がないため、船舶の航行や漁業に影響を与えることなく、閉鎖性水域のスペースを有効に利用して、周辺水域の水質が低下するのを防ぐことができる。
【００３２】
また、浮体構造物１０には、図４（ａ）に示すように、前面１３の喫水部分Ｗから籠収容部１６内に連通する喫水開口部１７が形成されており、籠収容部１６が上下方向の他に側方にも開口することで、籠収容部１６内の水が循環され易くなっているため、水質改善の効果を高めることができる。
【００３３】
また、図５（ａ）に示すように、二枚貝Ｋは網籠２０内に収容されており、二枚貝Ｋが水中に脱落するのを防ぐことができるため、二枚貝Ｋが周辺水域に生息する他の生物に影響を与えるのを防ぐとともに、二枚貝Ｋの死骸によって水質が低下するのを防ぐことができる。また、網籠２０内の二枚貝Ｋを回収して、飼料や肥料として再利用することができる。
【００３４】
また、図４（ｂ）に示すように、網籠２０が収容される籠収容部１６は、浮体構造物１０の上面１１に開口しており、籠収容部１６の内周側面に突出した支持部材１６ｃに、網籠２０に設けられた係合部材２１ｃ（図６（ｂ）参照）を上方から係合させることで、網籠２０を籠収容部１６内に着脱自在に取り付けることができるため、網籠２０を簡単に水中に設置するとともに、簡単に水中から回収することができる。
【００３５】
また、図７に示すように、網籠２０が上下方向に伸縮自在となっており、網籠２０を小型トラックＴの荷台Ｔ１に積載して搬送するときに、網籠２０を上下方向に収縮させて小さくすることができるため、小型トラックＴに積載可能な個数を増やすことができ、搬送効率を高めることができる。
【００３６】
［他の実施形態］
以上、本発明の実施形態について説明したが、本発明は前記実施形態に限定されることなく、その趣旨を逸脱しない範囲で適宜に設計変更が可能である。
【００３７】
例えば、本実施形態では、図１に示すように、浮体構造物１０の前部に四つの籠収容部１６・・・が形成されているが、籠収容部１６の個数及び位置は限定されるものではなく、浮体構造物１０の大きさや構造に対応させて適宜に設定することができる。
また、浮体構造物１０に形成された全ての籠収容部１６に網籠２０（図４（ｂ）参照）を収容する必要はなく、周辺水域の汚染状態などを考慮して、周辺水域の水質を改善するために必要な網籠２０の個数を設定することが望ましい。
【００３８】
また、本実施形態では、籠収容部１６の上側開口部を閉塞する蓋部材１６ｂを鋼板によって形成しているが、グレーチングを用いてもよい。さらに、蓋部材１６ｂに大きな荷重が作用しない場合には、木製の蓋部材１６ｂを用いてもよい。
【００３９】
また、本実施形態では、浮体構造物１０の前面１３に喫水開口部１７を形成しているが、浮体構造物１０の側面１５に喫水開口部１７を形成してもよい。さらには、浮体構造物１０の前面１３及び側面１５の両方に喫水開口部１７を形成してもよく、複数の方向から籠収容部１６に通じる喫水開口部１７を形成した場合には、籠収容部１６内の水の循環効率が向上するため、水質改善の効果を高めることができる。
【００４０】
また、本実施形態では、図５（ａ）に示すように、網籠２０が上部２１と下部２２に分割されているが、網籠２０全体が一体化された構造であってもよい。また、網籠２０は伸縮することができない構造であってもよい。さらに、本実施形態では、鋼製の網籠２０を用いているが、網籠２０の材質は限定されるものではなく、繊維を用いて網籠２０を形成してもよい。
【００４１】
また、本実施形態では、図６（ｂ）に示すように、網籠２０の上面に取り付けられたフック状の係合部材２１ｃを、籠収容部１６内の支持部材１６ｃに係合させることで、網籠２０を籠収容部１６内に取り付けているが、網籠２０と籠収容部１６との取り付け構造は限定されるものではなく、籠収容部１６に対して網籠２０が着脱自在であればよい。例えば、籠収容部１６の内部に突設されたフック状の支持部材に、網籠２０に設けられた水平な棒状の係合部材を係合させることもできる。
【００４２】
また、本実施形態では、図５（ａ）に示すように、網籠２０内のロープ２３の表面にムラサキ貝などの二枚貝Ｋを取り付けているが、網籠２０内のロープ２３の表面に藻を取り付けてもよい。このように、網籠２０内に藻を収容した場合には、藻に集まった魚が植物プランクトンを食べることで、水中の溶存酸素濃度が低下するのを防ぐことができ、周辺水域の水質改善（プランクトンの異常発生による赤潮の抑制など）も期待することができる。この場合は、魚が網籠２０内に侵入することができるように、網籠２０の網目を大きくする。
【００４３】
また、本実施形態では、図１に示す浮桟橋１を港湾に設置しているが、浮桟橋１を設置する場所は、湖沼や河川など限定されるものではない。
【００４４】
また、本実施形態では、網籠２０内に収容した二枚貝Ｋ（図５（ａ）参照）によって、周辺水域の水質を改善することを目的としているが、周辺水域の水質が良い場合には、網籠２０内で貝や魚などを養殖することもできる。
【図面の簡単な説明】
【００４５】
【図１】本実施形態の浮桟橋を示した全体斜視図である。
【図２】本実施形態の浮体構造物を示した平面図である。
【図３】本実施形態の浮体構造物を示した側面図である。
【図４】本実施形態の浮体構造物を示した図で、（ａ）は正面図、（ｂ）は図２のＡ−Ａ断面図である。
【図５】本実施形態の網籠を示した図で、（ａ）は全体斜視図、（ｂ）は網籠を伸縮させたときの各状態を示した側面図である。
【図６】本実施形態の籠収容部を示した図で、（ａ）は平面図、（ｂ）は籠収容部の支持部材と網籠の係合部材との係合状態を示した図である。
【図７】本実施形態の網籠を籠収容部に取り付ける態様を示した側面図である。
【図８】従来の水質改善用構造体を示した側面図である。
【符号の説明】
【００４６】
１      浮桟橋
１０    浮体構造物
１６    籠収容部
１６ａ  収容枠体
１６ｂ  蓋部材
１６ｃ  支持部材
１７    喫水開口部
２０    網籠
２１ｃ  係合部材
２３    ロープ
Ｋ      二枚貝
Ｔ      小型トラック
Ｔ１    荷台
Ｔ２    クレーン
Ｗ      喫水部分
【図１】
2010022231.tif 000003
【図２】
2010022231.tif 000004
【図３】
2010022231.tif 000005
【図４】
2010022231.tif 000006
【図５】
2010022231.tif 000007
【図６】
2010022231.tif 000008
【図７】
2010022231.tif 000009
【図８】
2010022231.tif 000010